(57)【要約】      （修正有）【課題】デジタルカメラにおいて、縦横混在して撮影した画像を連続的に閲覧する際、自動的に画像を回転させる。【解決手段】撮影光学系と、前記撮影光学系により結像した被写体像を電気的信号に変換する撮像手段と、前記電気的映像信号を記録する記録手段と、撮影動作を制御するカメラ制御手段と、撮影画像を再生する画像再生手段を備えたデジタルカメラにおいて、撮影を指示する撮影指示手段を少なくとも２箇所以上に設け、撮影時に前記映像信号と前記複数の撮影指示手段のどれにより撮影指示されたかの撮影指示手段識別情報と共に、前記記録手段に記録すると共に、前記再生手段に撮影画像を再生出力する際、前記撮影指示手段識別情報に基づき、必要時に自動的に前記撮影画像を回転を行なわせ撮影時の画像の上下関係を表現するようにした。【選択図】図１１
2005252797.tif 000002
【特許請求の範囲】
【請求項１】
撮影光学系と、前記撮影光学系により結像した被写体像を電気的信号に変換する撮像手段と、前記電気的映像信号を記録する記録手段と、撮影動作を制御するカメラ制御手段と、撮影画像を再生する画像再生手段を備えたデジタルカメラにおいて、撮影を指示する撮影指示手段を少なくとも２箇所以上に設け、撮影時に前記映像信号と前記複数の撮影指示手段のどれにより撮影指示されたかの撮影指示手段識別情報と共に、前記記録手段に記録すると共に、前記再生手段に撮影画像を再生出力する際、前記撮影指示手段識別情報に基づき、必要時に自動的に前記撮影画像を回転を行なわせ撮影時の画像の上下関係を表現するようにしたことを特徴とするデジタルカメラ。
【請求項２】
画像再生を外部画像再生手段に出力可能としたことを特徴とする請求項１記載のデジタルカメラ。
【請求項３】
前記再生手段上に配設した検知手段を設け、前記検知手段に前記撮影指示する機能を付与したことを特徴とする請求項１記載のデジタルカメラ。
【発明の詳細な説明】
【技術分野】
【０００１】
本発明は、デジタルカメラ、特に、固体撮像素子などの撮影手段により撮影された映像を記録媒体に記録再生するデジタルカメラに関するものである。
【背景技術】
【０００２】
近年、ＣＣＤ等の固体撮像素子とコンパクトフラッシュ(登録商標)メモリーカード等の記憶媒体を用いた記録装置を組合せ、スチル撮影を記録媒体に記録し、映像の再生はモニタやプリンタで行なうデジタルカメラが急速に普及している。
【０００３】
また、画像処理装置の性能向上も著しいものがあり、スチル撮影のみならず、動画像の撮影、記録、再生が可能なデジタルカメラも多く提案されている。
【０００４】
ところで上記デジタルカメラは、銀塩フィルムを使用するカメラ（以降、銀塩カメラという）のような現像等の薬品処理が不要であり、撮影記録した画像をモニタやプリンタで即時に確認することができ、また、コンピュータを使用して画像の修正、加工等が容易である等、数多くの長所を有している。
【特許文献１】特開２０００−２９３１１１号公報
【発明の開示】
【発明が解決しようとする課題】
【０００５】
しかしながら、デジタルカメラには人物等を撮影する場合に使用する縦長の「ポートレート」アングル、風景等を撮影する場合に使用する横長の「ランドスケープ」アングルの２種の基本撮影アングルが存在する。そして、撮影した画像を再生する場合、通常再生するモニタは横長のため「ポートレート」アングルで撮影した画像を再生する場合は９０度回転させて再生するか、モニタをデジタルカメラに内蔵している場合はデジタルカメラ自体を回転させて確認する必要があった。
【０００６】
したがって、従来のデジタルカメラにおいては、撮影した画像を再生する場合、通常再生するモニタは横長のため、で撮影した画像を再生する場合は９０度回転して再生するか、モニタを内蔵しているデジタルカメラの場合、デジタルカメラ自体を回転させなければならない問題点があった。
【０００７】
本発明は上記従来の問題点に鑑み提案されたもので、画像再生時に自動的に画像を回転させて、撮影時の画像の上下関係を正しく表現できるデジタルカメラを提供することである。
【課題を解決するための手段】
【０００８】
上述の目的を達成するために本発明は、デジタルカメラ本体において、シャッター釦と、「ランドスケープ」アングル撮影用のシャッター釦を設け、シャッター釦の種別情報と画像データを一つの画像データファイルとして記憶媒体に記憶し、再生時にその画像データファイル内のシャッター釦の種別すなわち撮影アングル情報から必要時に自動的に画像の回転を行なう構成のデジタルカメラとする。
【０００９】
すなわち、本発明の技術内容は以下の構成を備えることにより前記課題を解決できた。
【００１０】
（１）撮影光学系と、前記撮影光学系により結像した被写体像を電気的信号に変換する撮像手段と、前記電気的映像信号を記録する記録手段と、撮影動作を制御するカメラ制御手段と、撮影画像を再生する画像再生手段を備えたデジタルカメラにおいて、撮影を指示する撮影指示手段を少なくとも２箇所以上に設け、撮影時に前記映像信号と前記複数の撮影指示手段のどれにより撮影指示されたかの撮影指示手段識別情報と共に、前記記録手段に記録すると共に、前記再生手段に撮影画像を再生出力する際、前記撮影指示手段識別情報に基づき、必要時に自動的に前記撮影画像を回転を行なわせ撮影時の画像の上下関係を表現するようにしたことを特徴とするデジタルカメラ。
【００１１】
（２）画像再生を外部画像再生手段に出力可能としたことを特徴とする前記（１）記載のデジタルカメラ。
【００１２】
（３）前記再生手段上に配設した検知手段を設け、前記検知手段に前記撮影指示する機能を付与したことを特徴とする前記（１）記載のデジタルカメラ。
【発明の効果】
【００１３】
本発明によれば画像データファイルとして撮影時のデジタルカメラの撮影方向により異なるシャッター釦の操作を行い、シャッター釦による撮影方向情報と撮影画像データをあわせてコンパクトフラッシュ(登録商標)カード等の撮影画像記録媒体に記憶しておき、撮影画像の再生時にその画像データファイルの撮影方向情報により必要時に自動的に画像を回転させてモニタ等に表示することにより、撮影時の画像の上下関係を正しく表現することが可能となる。これにより、操作釦による手動操作で画像を回転させる面倒なステップを省いたり、デジタルカメラ本体にモニタを内蔵している場合は、デジタルカメラ自体を回転させる操作を省略できるといった効果がある。
【発明を実施するための最良の形態】
【００１４】
本発明の請求項１に記載の発明は、撮影光学系と、前記撮影光学系により結像した被写体像を電気的信号に変換する撮像手段と、前記電気的映像信号を記録する記録手段と、撮影動作を制御するカメラ制御手段と、撮影画像を再生する画像再生手段を備えたデジタルカメラにおいて、撮影を指示する撮影指示手段を少なくとも２箇所以上に設け、撮影時に前記映像信号と前記複数の撮影指示手段のどれにより指示されたかの撮影指示手段識別情報と共に、前記記録手段に記録すると共に、前記再生手段に撮影画像を再生出力する際、前記撮影指示手段識別情報に基づき、自動的に前記撮影画像を回転を行なわせ、撮影時の画像の上下関係を正しく表現するよう再生出力を行なうことが可能となる作用を有する。
【実施例】
【００１５】
以下、本発明の詳細を図面を参照して説明する。
【００１６】
図１及び図２は本発明の一実施例を採用したデジタルカメラの外観を示すもので、図１はレンズ側を示す概観図で、図２は図１とは反対側の面を示す概観図である。
【００１７】
図１及び図２において、デジタルカメラ本体１の略中心部には内部にＣＣＤといった撮像素子を内蔵したレンズモジュール２が設けられており、被写体映像を概レンズモジュール２にて取り込み、後述する仕掛けで画像データとして記録される。符号３で示すものは光学ファインダーで被写体を撮影する際の構図を決定する際に使用する。符号４はストロボで暗い時の補助光として使用する。符号５及び６はシャッター釦で、シャッター釦５は風景等を撮影する場合に使用する横長の「ランドスケープ」アングル撮影用で、シャッター釦６は、人物等を撮影する場合に使用する縦長の「ポートレート」アングル撮影用である。
【００１８】
図２において、表示部７は後述する表示器と入力用のデジタイザが一体的に構成されている。表示器上に各種処理を実行させるコマンドが表示され、その部位をペン等で押圧することにより各種処理が実行されるよう構成されている。本体１は電源ＯＮ／ＯＦＦキー８により電源の入切が行なわれる。電源ＯＮ／ＯＦＦキー８により電源が投入されると、モードＳＷ９により、撮影するのか、再生するのかが選択される。カーソルキー１０は表示部７に画像を再生する際、画像の選択や前次画像の送り指示やメニューキー１１による各種設定項目の選択に使用する。符号１２は選択された処理等の決定を指示するためのセットキーである。
【００１９】
図３は上記デジタルカメラのハードウエアブロックの概略を示す図である。
【００２０】
固体撮像素子としてのＣＣＤ２１により撮影された画像の撮像データが、画像処理回路２２に供給されてデジタル画像データに変換され、該デジタル画像データは一旦ＳＤＲＡＭ２８に書き込まれる。ＳＤＲＡＭ２８に書き込まれたデジタル画像データは制御装置としてのＣＰＵ２６により読み出され画面データ作成回路２３に供給され、当該回路２３にて表示信号に変換された後、表示装置としてのＬＣＤ２４に出力される。この結果、ＣＣＤ２１によって撮影された画像がＬＣＤ２４にリアルタイムに表示されることになる。
【００２１】
キー入力装置２９内のシャッター釦が押下されると、ＣＰＵ２６は、その時点で、ＳＤＲＡＭ２８に書き込まれた１フレーム分のデジタル画像データを読み出し、読み出したデジタル画像データを画像処理回路２２に供給する。画像処理回路２２に供給されたデジタル画像データは、ＪＰＥＧといった周知の圧縮方式により圧縮され、これによって得られら圧縮画像データは、ＣＰＵ２６に読み込まれて、一旦、ＳＤＲＡＭ２８に書き込まれる。
【００２２】
ＳＤＲＡＭ２８に書き込まれた圧縮画像データは、ＣＰＵ２６により読み出されメモリカード２７のユーザーフォルダーに書き込まれる。
【００２３】
このようにして、シャッター釦が押下された時点で撮影された１枚の画像が、静止画像としてメモリカード２７のユーザーフォルダーに記録されることになる。
【００２４】
符号２５で示すものは、デジタイザでＬＣＤ２４上に一体的に構成されており、ＬＣＤ上に表示される各種制御コマンドに対応する位置をペン等で押下することによりＣＰＵ２２の制御により、各種コマンドが実行されるよう構成されている。
【００２５】
次にメモリカード２７に記憶されている圧縮画像データをＬＣＤ２４に再生表示する場合は、ＣＰＵ２６によりメモリカード２７のユーザーフォルダー内から所定の圧縮画像データが読み出され、画像処理回路２２に供給する。概画像処理回路２２で圧縮画像データは伸長処理が施されデジタル画像データとなり、ＳＤＲＡＭ２８に書き込まれる。そして、ＣＰＵ２６により、ＳＤＲＡＭ２８からデジタル画像データが画像データ作成回路２３に供給され、表示可能データに変換処理が施されＬＣＤ２４に撮影画像として表示出力される。
【００２６】
図４はＬＣＤ２４において、メモリカード２７内の複数の画像データのサムネイル画像を一覧表示した状態を示すもので、画像４３，４５といった「ポートレート」アングルのデータも横出力となって表示され非常に見にくい状態となっている。
【００２７】
また、図５のようにＬＣＤ２４に画像データを一枚ずつ表示出力する場合は、（ａ）図から順次カーソルキー１０で送りながら、メモリカード２７のユーザーフォルダーに記憶されている圧縮画像データを順次伸長表示する場合、（ｃ）図のように「ポートレート」アングルの画像データもそのまま横長に表示出力され、この場合、デジタルカメラ１本体を回転させ画像を確認するといった煩雑さがある。
【００２８】
また、図６に示すように（ｃ）図において本体１を回転させることなく、画像の上下関係を正しく表示させるために、メニューキー１１等の制御キーにより回転モードに設定させることにより（ｄ）図のように、上下関係が正しく表示される。ところがカーソルキー１０により次の画像を表示させた場合、「ランドスケープ」アングルの画像データも縦長表示されてしまい、再度回転指示を行い（ｆ）図に示す正しい表示に変更させる必要があり、非常に煩雑な操作を使用者に強いることになっている。
【００２９】
そこで本発明によれば、「ランドスケープ」アングル撮影時にはシャッター釦５を押下し、「ポートレート」アングル撮影時には、本体１を縦長に使用し、シャッター釦６を押下することにより撮影データに撮影時のシャッター釦５、６いずれの釦により撮影されたのかを示す縦横フラグ情報を付与して記憶させることにより、最盛時に前記縦横フラグ情報により、これに呼応して画像データを回転させ常に被写体の正しい上下関係を再生することが可能となる。すなわち、図７に示すＬＣＤ２４の表示例に示すように（ａ）、（ｂ）、（ｄ）図は、「ランドスケープ」アングル用シャッター釦により撮影されたため、横長表示を、（ｃ）図は「ポートレート」アングル用シャッター釦により撮影されたため、画像データを回転させ縦長表示を行なうことが可能となる。
【００３０】
これにより、その都度デジタルカメラ本体１を回転させたり、画像データを回転指示するといった煩わしさなく撮影画像を正しい上下関係で再生閲覧するこが実現できる。
【００３１】
また、上記本発明の一実施例を採用することにより、図８に示す複数の画像データのサムネイル一覧表示する場合においても、縦横フラグ情報により必要に応じてサムネイル画像８３，８５を回転させることにより正しい上下関係での一覧表示が可能となる。
【００３２】
図９はメモリカード２７のユーザーフォルダー内の各画像データの格納構造を示すもので、一画像ファイルは付加情報１０１、サムネイル画像データ１０２撮影画像の圧縮データである本画像データ１０３とが含まれている。
【００３３】
付加情報１０１には撮影情報や撮影時に使用されたシャッター釦の違いを示す縦横フラグ等から構成されている。撮影情報１０１には、シャッタースピード、絞り値、撮影日時といった情報が収納されている。サムネイル画像データ１０２は図４、８で示した一覧表示を行なう場合の画像データで、画像処理回路２２で撮影デジタルデータをＪＰＥＧ（Ｊｏｉｎｔ  Ｐｈｏｔｏｇｒａｐｈｉｃ  Ｅｘｐｅｒｔ  Ｇｒｏｕｐ）方式等で圧縮する際、同時に画素間引きを行いビットマップイメージ等の小画素データにして、本圧縮データと共に記録される。
【００３４】
再生する際、付加情報１０１内の縦横フラグを活用して縦フラグが確認された場合は、展開された画像データを画像データ作成回路２３で表示データに処理する際、画像を回転させると共に、ＬＣＤ２４内収納可能なようにサイズ調整を行い図７（ｃ）に示す表示が可能となるわけである。
【００３５】
次に本実施例の動作を図１０及び図１１のＣＰＵ２６の制御フローチャートにより説明する。
【００３６】
図１０において、電源キー８により本体１の電源がＯＮされるとステップＳ１０、Ｓ１１において、モードＳＷ９により撮影をしようとするのか、再映画像を再生しようとするのかが選択される。ステップＳ１１において再生モードが選択されるとステップＳ１２で再生動作処理が実行される（詳細は図１１）。
【００３７】
次にステップＳ１３及びステップＳ１４において「ランドスケープ」アングルでの撮影か「ポートレート」アングルでの撮影かを選択する指示する横シャッター釦５が押下されたか、縦シャッター釦６が押下されたかを判定する。どちらも否定された場合は、ステップＳ１０のモード切り替え待ち状態に戻る。
【００３８】
ステップＳ１３において横シャッター釦５が押下された場合、ＳＤＲＡＭ２８から１フレーム分のデータが読み出され、画像処理回路２２において所望の圧縮処理が施されると共にサムネイル画像データも生成され、ステップＳ１７で横撮影フラッグと共にＳＤＡＲＭ２８に供給され、ステップＳ１７においてメモリカード２７のユーザーフォルダー内に図９で示すデータ構成で１フレーム分の画像データが記録される。
【００３９】
ステップＳ１４で縦シャッター釦６が押下された場合は、上述と同じく処理され縦撮影フラッグと共にメモリカード２７に１フレーム分の画像データが記録されて、一連の撮影動作が完了する。
【００４０】
次に図１１において再生する場合について説明する。ステップＳ１１でモードＳＷ９により再生モードが選択されるとステップＳ２１にてメモリカード２７から撮影フラッグやサムネイルデータと共に圧縮画像データが読み出されステップＳ２２でＳＤＲＡＭ２８に供給される。ステップＳ１１とステップＳ２１の間における画像の再生方法（一覧表示、各データ順次読み出し、特定画像読み出し）の選択処理に関しての詳細な説明は省略する。ＳＤＲＡＭ２８からステップＳ２３において画像処理回路２２に圧縮画像を供給し、再生可能なデジタル画像データへの伸長処理を行なう。ステップＳ２４で縦横フラグの確認が行なわれ、縦フラグが確認されると伸長されたデジタル画像データに回転処理によるデータ並び替えが施され、ステップＳ２６で画像データ作成回路２３にデジタル画像データが供給され表示可能なデータに変換されステップＳ２７でＬＣＤ２４に正しい上下関係となるよう撮影画像が表示出力される。
【００４１】
本構成により、撮影時に縦撮影、横撮影を異なるシャッター釦の操作により撮影することにより、再生時に撮影状態に応じて常に正しい上下関係を示すように撮影画像が再生できる。
【００４２】
（第２の実施の形態）
次に、本発明の第２の実施の形態を説明する。本実施の形態は、上述の実施の形態とほぼ同様の構成からなるデジタルカメラに関するもので、上述の実施形態と異なる部分について説明する。
【００４３】
図１２及び図１３は本実施例を説明するデジタルカメラ本体１の外観を示すものである。
【００４４】
本実施例においては、撮影時の撮影状態に応じて本体１側面に設けられたシャッター釦５及び６を押下するのではなく、表示器７上に表示された撮影アイコン１５，１６をペン１４により表示器７上に配されたデジタイザ２５により撮影動作を指示するものである。
【００４５】
「ランドスケープ」アングルで撮影する場合は、図１２のように本体１を横に構え、表示器７あるいは光学ファインダー３で被写体を確認しながら構図を決める。そして撮影する場合は、横撮影を指示する撮影アイコン１５付近をペン１４で押下することにより、前述した１フレームの画像取込みを横撮影フラグと共にメモリカード２７に記録する。
【００４６】
次に「ポートレート」アングルで撮影する場合は、図１３に示すように本体１を縦に保持し構図を決定する。そして撮影する場合は今度は縦撮影指示用の撮影アイコン１６をペン１４で押下することにより１フレームの画像取込みを縦撮影フラグと共にメモリカード２７に記録する。
【００４７】
（第３の実施の形態）
次に、本発明の第３の実施の形態を説明する。本実施の形態は、上述の実施の形態とほぼ同様の構成からなるデジタルカメラに関するもので、上述の実施形態と異なる部分について説明する。
【００４８】
本第３の実施例においては、図１４のハードウエアブロック図に示すように、本体１の向きを検知する傾き検知センター３０を設け、「ポートレート」アングルで撮影する場合に本体１を縦位置に構えた時、該傾き検知センター３０により本体１が立ちになっていることをＣＰＵ２６が認識し、図１５の本体１の外観図に示すように表示器７上には、縦撮影指示専用の撮影アイコン１６のみが表示されるように構成したものである。当然、横位置で本体１を構えた時は該傾き検知センター３０による検知で横撮影専用の撮影アイコン１５のみが表示されるようになり、操作者にとって一層わかりやすく、且つ間違いのない撮影ができるようになる。
【００４９】
また、本実施例では表示器７上の撮影アイコン１５，１６による撮影指示であるが、傾き検知センター３０の感知により、シャッター釦５，６の動作をそれぞれの状態で禁止するようにしてもよい。
【００５０】
上述の実施例においては、デジタルカメラ本体にモニタを内蔵している構成をとしたが、メモリカード内に記録された画像をＰＣに転送してＰＣのモニタで再生する場合においても、ＰＣにおける再生アプリケーションを縦横フラグにより画像を回転表示するよう構成することにより、同様な効果が得られる。
【００５１】
また、本実施例ではスチル撮影に言及したが、近年動画撮影できるデジタルカメラが提案されてきており、動画撮影においても撮影指示釦により動画再生時に正しく上下方向を合わせた再生が可能になることは、前述した構成で実現可能になることは言うまでもない。
【図面の簡単な説明】
【００５２】
【図１】本発明の実施例によるデジタルカメラの外観図
【図２】本発明の実施例によるデジタルカメラの外観図
【図３】同デジタルカメラのハードウエアブロック図
【図４】従来例における表示器の再生状態を示す図
【図５】従来例における表示器の再生状態を示す図
【図６】従来例における表示器の再生状態を示す図
【図７】本発明の実施例における表示器の再生状態を示す図
【図８】本発明の実施例における表示器の再生状態を示す図
【図９】本発明の実施例における１フレーム画像のファイル構成図
【図１０】本発明の実施例におけるＣＰＵの制御を説明するフローチャート
【図１１】本発明の実施例におけるＣＰＵの制御を説明するフローチャート
【図１２】本発明の第２の実施例によるデジタルカメラの外観図
【図１３】本発明の第２の実施例によるデジタルカメラの外観図
【図１４】本発明の第３の実施例によるデジタルカメラのハードウエアブロック図
【図１５】同デジタルカメラの外観図
【符号の説明】
【００５３】
１  デジタルカメラ本体
２  レンズモジュール
３  光学ファインダー
４  ストロボ
５  横撮影用シャッター釦
６  縦撮影用シャッター釦
７  表示器
８  電源ＯＮ／ＯＦＦキー
９  モードＳＷ
１０  カーソルキー
２１  ＣＣＤ
２２  画像処理回路
２３  画像データ作成回路
２４  ＬＣＤ
２５  デジタイザ
２６  ＣＰＵ
２７  メモリカード
２８  ＳＤＲＡＭ
【図１】
2005252797.tif 000003
【図２】
2005252797.tif 000004
【図３】
2005252797.tif 000005
【図９】
2005252797.tif 000006
【図１０】
2005252797.tif 000007
【図１１】
2005252797.tif 000008
【図１２】
2005252797.tif 000009
【図１３】
2005252797.tif 000010
【図１４】
2005252797.tif 000011
【図１５】
2005252797.tif 000012
【図４】
2005252797.tif 000013
【図５】
2005252797.tif 000014
【図６】
2005252797.tif 000015
【図７】
2005252797.tif 000016
【図８】
2005252797.tif 000017